(57)【要約】【課題】複数の装飾体を真っ直ぐかつ強固に連結でき、必要な場合には装飾体の一部を取り外すことができ装身具用ペンダントを提供すること。【解決手段】均一な肉厚で異なる直径からなる複数の枠体からなる装身具用ペンダントにおいて、側面方向から見た場合には略コの字形状であって、枠体の前面及び後面とほぼ平行をなす前板及び後板からなり、枠体を挟み込むように開閉する連結部を各枠体の頂部に取り付け、各枠体を同一面上に連結する。【選択図】図２
2011147670.tif 000002
【特許請求の範囲】
【請求項１】
均一な肉厚で異なる直径からなる複数の枠体において、側面方向から見た場合には略コの字形状であって、該枠体の前面及び後面とほぼ平行をなす前板及び後板からなり、該枠体を挟み込むように開閉する連結部を各枠体の頂部に取り付け、各枠体を同一面上に連結するようにしたことを特徴とする装身具用ペンダント。
【請求項２】
前記連結部は、前記前板の下方は前記枠体の前面に固定すると共に上方角部には兆番を設け、前記後板の上方に折曲部を形成して該折曲部の先端を前記兆番に取り付けると共に下方裏面に留め部を形成し、前記枠体に当該留め部を着脱可能な留め穴を形成したものであることを特徴とする請求項１に記載の装身具用ペンダント。
【発明の詳細な説明】
【技術分野】
【０００１】
本発明は、複数の枠体を上下方向に連結して形成する装身具用ペンダントに関する。
【背景技術】
【０００２】
従来から装身具用ペンダント１０の中で複数の装飾体１１を上下方向に連結して吊り下げるタイプには多数のデザインがあり、種々の異なる宝石や異なるデザインの装飾体を使用できるため人気が高いものである。
【０００３】
このような装身具用ペンダント１０は、例えば、図１に示すようなもので、通常は一般的な輪環１２を連結部として使用し、複数の装飾体１１を連ねる構造であるから、真っ直ぐなディスプレイ台に吊り下げた静止状態であればそれぞれの装飾体１１はおよそ直列するが、そのような状態でもそれぞれの装飾体１１を直列させることは困難で、連結状態が左右方向にまばらになり易い。
【０００４】
特に、装身具用ペンダント１０をネックレスチェーン１５により首から吊り下げた状態では、胸元１６の傾斜に応じてそれぞれの装飾体１１の連結部分は下方に従って段差状に折れ曲がり、身体の動きがあれば連結状態はさらに左右前後にまばらになる等、装身具用ペンダント１０の全体的な見栄えは極めて悪くなる。
【０００５】
しかし、このような複数の装飾体１１を連結して形成する装身具用ペンダント１０について、従来は、各装飾体自体のデザインや使用される宝石を種々変更することはあっても、連結部自体の構造について特別の工夫がされることはなく、複数の装飾体の美しい連結状態が提案されることはなかったといえる。
【０００６】
仮に、連結状態を真っ直ぐに見栄え良くするには、従来の装身具用ペンダントにおいては、連続する装飾体を始めから一体的に形成するか、各連結部分をロー付け等により固着してしまう必要があり、その場合には、それぞれの装飾体を取り外して別のデザインによる装身具用ペンダントを形成したり、他の宝石を連結することはできないという不都合が生じていた。
【特許文献１】特開２００９−１６５５４４
【発明の開示】
【発明が解決しようとする課題】
【０００７】
本発明は、このような従来技術の課題を解決し、複数の装飾体を連結する装身具用ペンダントにおいて、各装飾体を真っ直ぐかつ強固に連結できるため極めて見栄えが良く、また、必要な場合には複数の装飾体を取り外すことも可能な美しい装身具用ペンダントを提供することを目的とする。
【課題を解決するための手段】
【０００８】
上記課題を解決するために請求項１に記載の発明は、均一な肉厚で異なる直径からなる複数の枠体において、側面方向から見た場合には略コの字形状であって、該枠体の前面及び後面とほぼ平行をなす前板及び後板からなり、該枠体を挟み込むように開閉する連結部を各枠体の頂部に取り付け、各枠体を同一面上に連結するようにした装身具用ペンダントであることを特徴とする。また、本発明においては、前記連結部は、前記前板の下方は前記枠体の前面に固定すると共に上方角部には兆番を設け、前記後板の上方に折曲部を形成して該折曲部の先端を前記兆番に取り付けると共に下方裏面に留め部を形成し、前記枠体に当該留め部を着脱可能な留め穴を形成したものである装身具用ペンダントであることが好ましい。
【発明の効果】
【０００９】
このような装身具用ペンダントによれば、複数の装飾体を連結する装身具用ペンダントにおいて、各装飾体を真っ直ぐかつ強固に連結でき、一体的に美しく輝く装身具用ペンダントを提供することを目的とする。また、必要な場合には、別の装飾体を追加したり、異なるデザインの装飾体を取り付けて、多彩なデザインバリエーションを楽しむことができる装身具用ペンダントを提供することを目的とする。
【発明を実施するための最良の形態】
【００１０】
以下、図面を参照にして、本発明の好ましい実施形態を説明する。図２において、（ａ）は本発明に係る第１装身具用ペンダントを示す正面図、（ｂ）はその連結状態を示す側面図である。また、図３は、第１装身具用ペンダントにおいて枠体の連結部を開いた状態を示す側面図、図４は、その使用状態を示す側面図である。
【００１１】
第１装身具用ペンダント２０は、例えば、金、プラチナ、シルバー、真鍮等の金属を素材として、ロストワックスキャスティングやプレス切断加工により製造されるもので、異なる直径の第１枠体２２及び第２枠体２４、各々の枠体には開閉自在の連結部４０、５０が形成され、第１枠体２２の中央には宝石（中石）２８が取り付けられ、各々の枠体の周囲には宝石（脇石）３０が散りばめられている。
【００１２】
第１枠体２２は、例えば、正面方向から見た場合には略円形で、側面方向から見た場合には略長方形となるような均一な肉厚で形成される。第１枠体２２の中央は開口され、例えば、ラウンドブリリアントカットダイアモンドからなる宝石（中石）２８が石座２９に石留され、第１枠体２２の内側にロー付け等されて固定されている。なお、第１枠体２２の平面形状は示された略円形に限定されるわけではなく、略四角形等の多角形やマーキース、ハート等の装飾的な形状をデザインに応じて採用できる。
【００１３】
また、第１枠体２２において、後記する前板３４の裏側には留め穴３２が形成される。
【００１４】
そして、第１枠体２２の頂部には、側面方向から見た場合には、偏平な前板３４と上方が約９０度に折れ曲がることで折り曲げ部３６を有する後板３８により、全体として略コの字形状をなす連結部４０が、第１枠体２２を挟み込むように取り付けられる。
【００１５】
前板３４は、第１枠体２２の前面とほぼ平行であるように、その下方が第１枠体２２の頂部に、例えば、ロー付け等により固定される。
【００１６】
後板３８は、折曲部３６の先端が兆番３５に取り付けられ、前板３４に対して開閉自在となる。また、後板３８の下方の表面は、先端でやや後ろ側に湾曲して指掛け部３７が形成され、裏面には斜め上方向に突起する留め部３９が形成される。すなわち、後板３８を手指等で内側に強く押せば留め部３９が留め穴３２に嵌合し、また、指掛け部３７を後ろ側に強く押せば両者の嵌合を外すことができるので、連結部４０は第１枠体２２の後方で開閉自在となる
【００１７】
なお、留め部３９が留め穴３２に嵌合された状態において、後板３８が第１枠体２２の裏面とほぼ平行となるように、その表面は平坦に形成される。
【００１８】
第２枠体２４は、第１枠体２２より小さな直径からなり、その形状は、例えば、正面方向見た場合には略円形で、側面方向から見た場合には略長方形の均一な肉厚であり、第１枠体２２と略同様である。また、第２枠体２４の中央は第１枠体２２と略同様に開口されるが、その中央に宝石は固定されず、いわゆるドーナツ形状をなしている。
【００１９】
第２枠体２４にも連結部５０が取り付けられるが、その形状及び構造は、第１枠体２２の連結部４０と略同様であるから、ここでは説明を省略する。
【００２０】
第１装身具用ペンダント２０の使用方法を説明すると、第１枠体２２の後板３８を指掛け部３７により開いて第２枠体２４を挿入し、第２枠体２４の下部略中央を挟みこむような状態で後板３８を閉じる。さらに、後板３８を強く押圧し、留め部３９を留め穴３２に嵌合して、第１枠体２２と第２枠体２４を連結する。また、第２枠体２４の連結部５０を開いて、同様にネックレスチェーン５２を挿通する。
【００２１】
このような第１装身具用ペンダント２０を首からぶら下げると、第１枠体２２と第２枠体２４は真っ直ぐな状態でかつ強固に連結され、従来の複数の装飾体を上下方向に連結して吊り下げる装身具用ペンダントとは明らかに異なり、胸元５４でまばらになることがならない一体的に美しく輝く装身具用ペンダントとして使用できる。
【００２２】
一方、第１装身具用ペンダント２０においては、第１枠体２２と第２枠体２４を分離して使用することも可能であるから、１の第１装身具用ペンダント２０を別人がそれぞれを分けて使用することもできる。その場合には、例えば、遠く離れて暮らす母親と娘や、父親と戦場に赴いた兵士等、装身具として重要な意味をなすメモリアグッズとしての使用も可能である。
【００２３】
図５は、本発明に係る第２装身具用ペンダントを示す正面図である。
【００２４】
第２装身具用ペンダント６０は、第１装身具用ペンダント２０と同様の素材及び方法により製造され、異なる直径で少しずつ小さくなる第１枠体６２、第２枠体６４及び第３枠体６６からなり、各々の枠体には開閉自在の連結部７０、７４及び７６が形成される。
【００２５】
第１枠体６２は、正面方向から見た場合には略ハート形で、側面方向から見た場合には略長方形となるような均一な肉厚で形成される。第１枠体６２の中央には、石座６９に石留されたハートシェイプカットダイアモンドによる宝石６８が固定されている。
【００２６】
第１枠体６２における連結部等の構造は、第１装身具用ペンダント２０の第１枠体２２と同様の構造であるので、ここでは説明を省略する。また、第２枠体６４、第３枠体６６の形状及び構造も略同様である。
【００２７】
第２装身具用ペンダント６０の使用方法についても、第１装身具用ペンダント２０と同様であり、ネックレスチェーン７８により首からぶら下げると、第１枠体６２、第２枠体６４及び第３枠体６６は真っ直ぐな状態でかつ強固に連結され、従来の複数の装飾体を上下方向に連結して吊り下げる装身具用ペンダントとは明らかに異なり、一体的に美しく輝く装身具用ペンダントとして使用できる。
【００２８】
以上、本発明による装身具用ペンダントの好ましい実施形態を図面により説明したが、本発明は特にこれに限定されるものではない。例えば、図６に示すように、その日の気分に応じて異なるデザインの枠体（例：第１装身具用ペンダントの第１枠体２２と第２装身具用ペンダントの第２枠体６４と第１装身具用ペンダントの第２枠体２４）を連結することも可能で、装身具用ペンダントの様々なバリエーションを楽しむことができる。
【００２９】
くわえて、正面方向から見た場合に、枠体における連結部の形状については、図示された長方形に限られるわけではなく、涙形やマーキース形等の装飾的形状を採用することも可能である。
【図面の簡単な説明】
【００３０】
【図１】（ａ）は複数の装飾体を連結した従来の装身具用ペンダントを示す正面図、（ｂ）はその使用状態を示す側面図である。
【図２】（ａ）は第１装身具用ペンダントを示す正面図、（ｂ）はその連結状態を示す側面図である。
【図３】第１装身具用ペンダントにおいて枠体の連結部を開いた状態を示す側面図である。
【図４】第１装身具用ペンダントの使用状態を示す側面図である。
【図５】本発明に係る第２装身具用ペンダントを示す正面図である。
【図６】異なるデザインの枠体を連結した装身具用ペンダントを示す正面図である。
【符号の説明】
【００３１】
１０  装身具用ペンダント
１１  装飾体
１２  輪環
１５  ネックレスチェーン
１６  胸元
２０  第１装身具用ペンダント
２２  第１枠体
２４  第２枠体
２８  宝石（中石）
２９  石座
３０  宝石（脇石）
３２  留め穴
３４  前板
３５  兆番
３６  折り曲げ部
３７  指掛け部
３８  後板
３９  留め部
４０  連結部
５０  連結部
５２  ネックレスチェーン
６０  第２装身具用ペンダント
６２  第１枠体
６４  第２枠体
６６  ３枠体
６８  宝石
６９  石座
７０  連結部
７４  連結部
７６  連結部
７８  ネックレスチェーン
【図１】
2011147670.tif 000003
【図２】
2011147670.tif 000004
【図３】
2011147670.tif 000005
【図４】
2011147670.tif 000006
【図５】
2011147670.tif 000007
【図６】
2011147670.tif 000008